(57)【要約】【課題】  生ごみ処理機において、処理ごみに手を触れずに廃棄でき、周囲に臭気を拡散することなく、取り付けや取り外しも簡単で使い勝手を大幅に向上させること。【解決手段】  生ごみ処理部２と、その排出口４と、排出口４下方に挟撃により樹脂等を溶着可能な一対の溶着アーム５と、排出口４と溶着アーム５との間に、樹脂製袋７の上端開口部を開口状態とし、排出口４と連通する上下２つの枠体８、９からなる袋固定枠１０を着脱自在に装着可能とした。これにより、処理ごみ３が袋に密封できるため、臭気もなく、手や床も汚れない。さらに、処理ごみ３を回収する袋は袋固定枠１０に簡単に取り付けられ、その袋固定枠１０を排出口４と溶着アーム５との間に装着するだけで取り付けが完成し、取り出し時は、溶着アーム５で袋の上部を挟むことで密封され、袋固定枠１０を取り外すことによって簡単に廃棄することができるものである。【選択図】  図１
2005058971.tif 000002
【特許請求の範囲】
【請求項１】
投入された生ごみを処理する生ごみ処理部と、前記生ごみ処理部の排出口と、前記排出口の下方に設けられ挟撃により樹脂等を溶着可能な溶着アームとを備え、樹脂製袋の上端開口部を開口状態で保持すると共に、前記排出口と樹脂製袋内とを連通させる上下２つの枠体を有した袋固定部を、前記排出口と溶着アームとの間に略水平に装着可能とした生ごみ処理機。
【請求項２】
袋固定部の天面と、前記袋固定部の天面と当接する排出口の底面とを、それぞれ前記袋固定部の挿入方向に対して傾斜させた請求項１に記載の生ごみ処理機。
【請求項３】
袋固定部は、その一端を軸支する上下２つの枠体とした請求項１に記載の生ごみ処理機。
【請求項４】
排出口の下面または袋固定部の上面のうち、少なくとも一方には、開口部全周にシール部材を設けた構成の請求項１〜３のいずれか１項に記載の生ごみ処理機。
【請求項５】
袋固定部の装着を検知するスイッチと、前記スイッチがＯＮすることにより、生ごみ処理機の運転を可能とする制御手段を設けた請求項１〜４のいずれか１項に記載の生ごみ処理機。
【発明の詳細な説明】
【技術分野】
【０００１】
本発明は、一般家庭で発生する生ごみ等を、脱水、乾燥、及び微生物分解等により減量等の処理をする生ごみ処理機に関するものである。
【背景技術】
【０００２】
従来のこの種の生ごみ処理機は、単に脱水させる方式、生ごみを乾燥させる方式と、微生物により分解させる２つの方式が一般的に使用されている。脱水させる方式は、例えばディスポーザで粉砕した生ごみを、高速回転する分離かごで液と固形とに分離し、液は下水に、固形分は回収部へ回収して廃棄するものである。また、乾燥させる方式は、何らかの加熱手段（燃焼、電気式ヒータ、マグネトロン等）を有し、直接、間接的加熱手段等により処理容器内の生ごみの温度を上昇させ、生ごみの水分を蒸発させ、乾燥・減量するものが良く知られている。また、微生物の分解による方式は、撹拌手段を設けた処理槽内に大鋸屑等の菌床となる基材を入れておき、適切な温湿度に制御する事により、分解菌により生ごみを分解し減量する方法が良く知られている。このような生ごみ処理機において、処理終了後の生ごみ（以下処理ごみという）は、乾燥式の場合、乾燥容器内で乾燥させ、その容器を取り出し、別の容器（ごみ袋等）に移し替えて廃棄する様になっている。また、微生物分解で分解する方式は、処理槽底部の扉を開けて処理ごみを取り出すもの、処理槽からのオーバーフローにより、処理ごみを回収する容器を設け、その容器を取り外し、別の容器に移し替えて廃棄する様になっている。
【０００３】
また、下記特許文献１、特許文献２に示すように、処理ごみに手をふれずに、処理ごみの排出口に袋を設け、さらにその袋を溶着させて外部に漏れないようにしているものもある。
【特許文献１】特開昭５７−１１３８５７号公報
【特許文献２】特開昭５６−３１４５３号公報
【発明の開示】
【発明が解決しようとする課題】
【０００４】
しかしながら、このような従来の乾燥方式や微生物分解方式は、処理ごみを廃棄しようとするときにどうしても処理ごみに触れてしまったり、臭気が周囲に拡散したりするため、不快な思いをしたり、手が汚れたりし、使い勝手の良いものではなかった。また、臭気の拡散や、汚れを防止するために、排出口から直接袋に入るように構成し、さらにその袋を熱で溶着し、臭気が漏れないように下ものがある。しかしこの方法は、排出口に直接袋を取付けているため、袋の取り付けや取り外しに手間がかかり、使い勝手が良いとはいえない。また、連続した筒状の袋にテープ巻き付けたり、溶着したりして袋を形成し、さらに、処理ごみが入った後に再度テープで巻き付けたり、溶着して封印し、さらにその部分を切断して次の袋を形成させる方法で使い勝手を改善しているが、切断する手間があり、そのための切断器具（はさみ等）を準備しなければならないという煩わしさがあった。
【０００５】
そこで、本発明はこのような従来の課題を解決し、処理ごみに手を触れず廃棄でき、周囲にいやな臭気を拡散することなく、取り付けや取り外しも簡単で使い勝手を大幅に向上させた生ごみ処理機を提供することを目的としている。
【課題を解決するための手段】
【０００６】
前記従来の課題を解決するために本発明の生ごみ処理機は、投入された生ごみを処理する生ごみ処理部と、前記生ごみ処理部の排出口と、前記排出口の下方に設けられ挟撃により樹脂等を溶着可能な溶着アームとを備え、樹脂製袋の上端開口部を開口状態で保持すると共に、前記排出口と樹脂製袋内とを連通させる上下２つの枠体を有した袋固定部を、前記排出口と溶着アームとの間に略水平に装着可能としたものである。
【０００７】
これにより、処理ごみを回収する袋を袋固定部に取り付け、その袋固定部を排出口と溶着アームとの間に装着するだけで取り付けが完成し、取り出し時は、溶着アームで袋の上部を挟むことで密封され、袋固定部を取り外すことによって簡単に廃棄できる。また、袋に密封されているため、臭気もなく、手や床が汚れないのは言うまでもないことである。
【発明の効果】
【０００８】
本発明の生ごみ処理機は、処理ごみの廃棄時に臭気の拡散や、手、床などを汚す心配が無く、しかも簡単に取り出し、取り外しができ、使い勝手を大幅に改善できるという効果がある。
【発明を実施するための最良の形態】
【０００９】
第１の発明は、投入された生ごみを処理する生ごみ処理部と、前記生ごみ処理部の排出口と、前記排出口の下方に設けられ挟撃により樹脂等を溶着可能な溶着アームとを備え、樹脂製袋の上端開口部を開口状態で保持すると共に、前記排出口と樹脂製袋内とを連通させる上下２つの枠体を有した袋固定部を、前記排出口と溶着アームとの間に略水平に装着可能としたものである。
【００１０】
これにより、処理ごみが袋に密封できるため、臭気もなく、手や床も汚れない。さらに、処理ごみを回収する袋は袋固定部に簡単に取り付けられ、その袋固定部を排出口と溶着アームとの間に装着するだけで取り付けが完成し、取り出し時は、溶着アームで袋の上部を挟むことで密封され、袋固定部を取り外すことによって簡単に廃棄することができるものである。
【００１１】
第２の発明は、袋固定部の天面と、前記袋固定部の天面と当接する排出口の底面とを、それぞれ前記袋固定部の挿入方向に対して傾斜させた構成としている。
【００１２】
このことにより、装着された袋固定部と排出口下面が隙間なく当接し、臭気の漏れや、処理ごみの漏れがほとんどなくすことができるものである。
【００１３】
第３の発明は、袋固定部は、その一端を軸支する上下２つの枠体とし、袋固定部が２つに分離しないため、操作が簡単でしかも確実に袋を挟んで固定することができるものである。
【００１４】
第４の発明は、排出口の下面または袋固定部の上面のうち、少なくとも一方には、開口部全周にシール部材を設け、袋固定部が装着された時、排出口下面と袋固定部の間に隙間が無くなり、この隙間からの臭気漏れを防止することができるものである。
【００１５】
第５の発明は、袋固定部の装着を検知するスイッチと、前記スイッチがＯＮすることにより、生ごみ処理機の運転を可能とする制御手段を設けている。
【００１６】
このことにより、処理ごみ回収用の袋が装着されておらずに生ごみ処理機の運転が開始され、処理ごみが袋に回収できずに外に漏れてしまうことを防止できるものである。
【００１７】
（実施の形態１）
図１は、本発明の第１の実施の形態における生ごみ処理機の処理ごみ回収部の部分縦断面図を示すものである。図２は前記処理ごみ回収部の他の断面図を表し、図３は袋固定部の部分縦断面図を示している。
【００１８】
図１〜３において、生ごみ処理機本体１には生ごみ処理部２につながる処理ごみ３の排出口４が設けられている。排出口４の下方には一対の溶着アーム５が設けられ、片側をアーム軸６で支えられ回転できるようになっている。また、溶着アーム５の片方表面には電気ヒータ（図示せず）が取り付けられ、両方の溶着アーム５が合わさることで挟まれた樹脂製袋７が溶着されるようになっている。排出口４と溶着アーム５の間には、樹脂製袋７の開口側を上下２つの枠体８、９で挟み込んで構成される袋固定部１０が水平方向にガイド部１１に沿って着脱自在に装着できるようになっている。
【００１９】
また、図３に示すように枠体８、９は樹脂製袋７を挟み込んでラッチ部１２の嵌合により固定され、取り外すことも可能である。さらに、袋固定部１０が装着されたことを検知する装着検知スイッチ１３がガイド部１１または仕切り板部１４に設けられ、制御手段１５と電気的につながっている。
【００２０】
また、排出口４下面には開口部の全周にわたって、シール部材１６が設けられている。また、このシール部材１６は袋固定部１０の上面に設けてあってもかまわない。
【００２１】
以上のように構成された、生ごみ処理機について以下その動作、作用を説明する。
【００２２】
樹脂製袋７を袋固定部１０の枠体８、９で挟み込み、枠体８、９で開口部を構成する状態とし、ガイド部１１に沿って袋固定部１０を挿入することによって排出口４から落下する処理ごみ３は全て樹脂製袋７の中に落下するようになる。このとき、袋固定部１０により装着検知スイッチがＯＮされ、その信号が制御手段１５に伝達されることによって、生ごみ処理機の運転が可能となる。これにより、処理ごみ回収用の樹脂製袋７が装着されておらずに運転され、処理ごみ３が本体１内に落下して汚れや臭いが付着したりするのを防止できる。また、袋固定部１０が装着された状態で排出口４との隙間にはシール部材１６があり、処理ごみ３やその臭気が漏れることを確実に防止している。
【００２３】
さらに、袋固定部１０を装着し生ごみ処理機を運転し、発生した処理ごみ３は排出口４より袋固定部１０を通過し樹脂製袋７に入る。樹脂製袋７に処理ごみ３がいっぱいになった状態で溶着アーム５により樹脂製袋７を挟み込むことによって樹脂製袋７の上端部が密封された状態となる。この状態で袋固定部１０を本体１から引き出し、上下の枠体８、９を開くことによって、樹脂製袋７を簡単にはずし、手を汚すことが無く、しかも処理ごみ３の臭気も室内に拡散させることなく、ゴミ箱等へ廃棄することができるものである。
【００２４】
（実施の形態２）
図４は、本発明の第２の実施の形態における生ごみ処理機の処理ごみ回収部の部分縦断面図である。
【００２５】
図４に示すように、排出口４下面と挿入される袋固定部１０の上面には挿入方向に対し互いに傾斜した傾斜面Ｂを有している。また、排出口４下面の開口部全周にはシール部材１６を設けている。
【００２６】
このような構成により、袋固定部１０が装着された状態で排出口４との間に隙間ができにくくなる。このため、隙間より処理ごみ３の臭気が漏れたり、処理ごみ３自体が飛び出したりする事を無くすることができるものである。また、袋固定部１０の出し入れによりシール部１６がすれたり、引っかかったりするのを防止し、シール部材１６の耐久性が向上するとともに、より確実に封止する事ができるものである。
【００２７】
（実施の形態３）
図５は、本発明の第３の実施の形態における生ごみ処理機の袋固定部の部分縦断面図である。
【００２８】
図５に示すように、袋固定部１０の枠体８と９を軸部１７で回転するように支持し、ラッチ部１８の嵌合により固定したり、はずしたりする事ができるものである。
【００２９】
この構成により、枠体８、９が分離して片方が無くなってしまうことも無く、嵌合時に２つの枠体８、９が合わせにくいということもなく、より簡単に樹脂製袋７セットしたり、はずしたりできるものである。
【産業上の利用可能性】
【００３０】
以上のように本発明にかかる生ごみ処理機は、処理ごみの廃棄時に臭気の拡散や、手、床などを汚す心配が無く、簡単に取り出し、取り外しができ、使い勝手を大幅に改善できるものであり、家庭用のみならず業務用の生ごみ処理機をはじめ、生ごみ以外の臭気の発生する廃棄物処理機や食品加工機等の袋詰め機等にも適用できる。
【図面の簡単な説明】
【００３１】
【図１】本発明の実施の形態１における生ごみ処理機の処理ごみ回収部まわりの縦断面図
【図２】本発明の実施の形態１における生ごみ処理機の処理ごみ回収部まわりの他の縦断面図
【図３】本発明の実施の形態１における袋固定部まわりの断面図
【図４】本発明の実施の形態２における生ごみ処理機の処理ごみ回収部まわりの縦断面図
【図５】本発明の実施の形態３における生ごみ処理機の袋固定部まわりの断面図
【符号の説明】
【００３２】
１  生ごみ処理機本体
２  生ごみ処理部
４  排出口
５  溶着アーム
７  樹脂製袋
１０  袋固定部
１３  溶着検知スイッチ
１４  制御手段
１６  シール部材
【図１】
2005058971.tif 000003
【図２】
2005058971.tif 000004
【図３】
2005058971.tif 000005
【図４】
2005058971.tif 000006
【図５】
2005058971.tif 000007